(57)【要約】【課題】入口ループミスとは別のループミスが発生した場合に、ループミスの発生箇所を推定すること。【解決手段】制御装置１６は、バルーンセンサ１９における解舒検出数が正常で、且つ織幅内センサ４５が緯糸Ｙを検出するとともにエンドセンサ２４が緯糸Ｙを検出しなかった場合に、織幅内センサ４５の緯糸検出タイミングと、予め設定された織幅内センサ４５の緯糸検出タイミングの閾値との比較に基づいて、発生した緯入れミスであるループミスの発生箇所を推定する。【選択図】図１
2019105005.tif 000002
【特許請求の範囲】
【請求項１】
緯糸を緯糸飛走経路に緯入れするメインノズル及びサブノズルと、
前記緯糸の緯糸測長貯留装置からの解舒を検出するバルーンセンサと、
前記緯糸飛走経路における前記メインノズルとは反対側の織幅の外に配置されたエンドセンサと、
前記緯糸飛走経路における前記織幅の中央よりも前記メインノズルとは反対側の前記織幅内に配置された織幅内センサと、を備えたエアジェット織機における緯入れ診断方法であって、
前記バルーンセンサにおける解舒検出数が正常で、且つ前記織幅内センサが前記緯糸を検出するとともに前記エンドセンサが前記緯糸を検出しなかった場合に、前記織幅内センサの緯糸検出タイミングと、予め設定された前記織幅内センサの緯糸検出タイミングの閾値との比較に基づいて、発生した緯入れミスであるループミスの発生箇所を推定することを特徴とするエアジェット織機における緯入れ診断方法。
【請求項２】
前記閾値は、発生した緯入れミスの内容を、入口ループミスとは別のループミスである中央ループミスと判断するために用いられる第１閾値を含み、
前記織幅内センサの緯糸検出タイミングが前記第１閾値よりも遅れている場合、発生した緯入れミスの内容を前記中央ループミスと判断することを特徴とする請求項１に記載のエアジェット織機における緯入れ診断方法。
【請求項３】
前記第１閾値は、前記緯糸が正常に緯入れされているときの所定ピック数の範囲内で、前記織幅内センサの緯糸検出タイミングの最大値から所定値だけ加算した値であることを特徴とする請求項２に記載のエアジェット織機における緯入れ診断方法。
【請求項４】
前記閾値は、発生した緯入れミスの内容を、入口ループミスとは別のループミスであるエンドループミスと判断するために用いられる第２閾値を含み、
前記織幅内センサの緯糸検出タイミングが前記第２閾値よりも早い場合、発生した緯入れミスの内容を前記エンドループミスと判断することを特徴とする請求項１〜請求項３のいずれか一項に記載のエアジェット織機における緯入れ診断方法。
【請求項５】
前記第２閾値は、前記緯糸が正常に緯入れされているときの所定ピック数の範囲内での前記織幅内センサの緯糸検出タイミングの平均値であることを特徴とする請求項４に記載のエアジェット織機における緯入れ診断方法。
【発明の詳細な説明】
【技術分野】
【０００１】
本発明は、エアジェット織機における緯入れ診断方法に関する。
【背景技術】
【０００２】
エアジェット織機においては、メインノズル及びサブノズルからのエア噴射により、緯糸飛走経路を経て緯入れされる緯糸の緯入れ状態が正常か異常か否かを判別する緯入れ診断装置を備えている。例えば特許文献１の緯入れ制御装置（緯入れ診断装置）は、緯糸の緯糸測長貯留装置からの解舒を検出する緯糸解舒検出器（バルーンセンサ）と、緯糸の先端の到達を検出する緯糸到達検出器（エンドセンサ）と、織幅内に等間隔に配設された複数の緯糸飛走検出器（織幅内センサ）と、を備えている。エアジェット織機では、サブノズルの噴射圧や噴射タイミングの状態変化によって緯糸の飛走状態が悪くなると、緯糸が緩んで緯糸の先端が緯糸到達検出器の検出位置に到達しない緯入れミスであるエンドミスが発生する場合がある。また、サブノズルの噴射圧や噴射タイミングが適正な噴射圧であったとしても、経糸の状態変化によって経糸の張力が緩んで経糸の経糸開口状態が悪くなると、メインノズルから噴射された緯糸が経糸開口の入口で経糸に当たることがある。すると、経糸開口の入口を過ぎた入口付近で緯糸のループが形成される緯入れミスである入口ループミスが発生する場合がある。そこで、特許文献１の緯入れ制御装置では、複数の緯糸飛走検出器から検出される飛走検出情報に基づいて、エンドミスと入口ループミスとの識別を行っている。
【先行技術文献】
【特許文献】
【０００３】
【特許文献１】特開平４−２５７３４７号公報
【発明の概要】
【発明が解決しようとする課題】
【０００４】
ところで、エアジェット織機では、入口ループミスとは別に、緯糸飛走経路における織幅の中央付近で経糸に当たって緯糸のループが形成される緯入れミスである中央ループミスや、緯糸飛走経路における織幅の中央よりもメインノズルとは反対側付近で経糸に当たって緯糸のループが形成される緯入れミスであるエンドループミスが発生する場合がある。しかしながら、特許文献１では、このような入口ループミスとは別のループミスが発生した場合に、ループミスの発生箇所を推定することが困難である。
【０００５】
本発明は、上記課題を解決するためになされたものであって、その目的は、入口ループミスとは別のループミスが発生した場合に、ループミスの発生箇所を推定することができるエアジェット織機における緯入れ診断方法を提供することにある。
【課題を解決するための手段】
【０００６】
上記課題を解決するエアジェット織機における緯入れ診断方法は、緯糸を緯糸飛走経路に緯入れするメインノズル及びサブノズルと、前記緯糸の緯糸測長貯留装置からの解舒を検出するバルーンセンサと、前記緯糸飛走経路における前記メインノズルとは反対側の織幅の外に配置されたエンドセンサと、前記緯糸飛走経路における前記織幅の中央よりも前記メインノズルとは反対側の前記織幅内に配置された織幅内センサと、を備えたエアジェット織機における緯入れ診断方法であって、前記バルーンセンサにおける解舒検出数が正常で、且つ前記織幅内センサが前記緯糸を検出するとともに前記エンドセンサが前記緯糸を検出しなかった場合に、前記織幅内センサの緯糸検出タイミングと、予め設定された前記織幅内センサの緯糸検出タイミングの閾値との比較に基づいて、発生した緯入れミスであるループミスの発生箇所を推定する。
【０００７】
入口ループミスが発生した場合、緯糸は織幅の中央付近にしか到達できないため、エンドセンサや、緯糸飛走経路における織幅の中央よりもメインノズルとは反対側の織幅内に配置される織幅内センサが緯糸を検出することはない。一方、入口ループミスとは別のループミスが発生した場合、エンドセンサが緯糸を検出しないのは入口ループミスと同じであるが、緯糸の先端が織幅内センサの検出位置に到達した後にループが形成されることがほとんどであるので、織幅内センサは緯糸を検出する。そして、織幅内センサの緯糸検出タイミングと、予め設定された織幅内センサの緯糸検出タイミングの閾値との比較に基づいて、発生した緯入れミスであるループミスの発生箇所を推定する。これによれば、入口ループミスとは別のループミスが発生した場合に、ループミスの発生箇所を推定することができる。
【０００８】
上記エアジェット織機における緯入れ診断方法において、前記閾値は、発生した緯入れミスの内容を、入口ループミスとは別のループミスである中央ループミスと判断するために用いられる第１閾値を含み、前記織幅内センサの緯糸検出タイミングが前記第１閾値よりも遅れている場合、発生した緯入れミスの内容を前記中央ループミスと判断するとよい。
【０００９】
中央ループミスは、緯糸飛走経路における織幅の中央付近で経糸に当たって緯糸のループが形成される緯入れミスであるため、織幅内センサの緯糸検出タイミングは、例えば、緯糸が正常に緯入れされているときの織幅内センサの緯糸検出タイミングに比べると、大きく遅れることになる。そこで、織幅内センサの緯糸検出タイミングが第１閾値よりも遅れている場合、発生した緯入れミスの内容を中央ループミスと判断する。これによれば、入口ループミスとは別のループミスである中央ループミスが発生した場合に、ループミスの発生箇所を中央ループミスの発生箇所であると推定することができる。
【００１０】
上記エアジェット織機における緯入れ診断方法において、前記第１閾値は、前記緯糸が正常に緯入れされているときの所定ピック数の範囲内で、前記織幅内センサの緯糸検出タイミングの最大値から所定値だけ加算した値であるとよい。これによれば、発生した緯入れミスの内容を中央ループミスと正確に判断することができる。
【００１１】
上記エアジェット織機における緯入れ診断方法において、前記閾値は、発生した緯入れミスの内容を、入口ループミスとは別のループミスであるエンドループミスと判断するために用いられる第２閾値を含み、前記織幅内センサの緯糸検出タイミングが前記第２閾値よりも早い場合、発生した緯入れミスの内容を前記エンドループミスと判断するとよい。
【００１２】
エンドループミスは、緯糸飛走経路における織幅の中央よりもメインノズルとは反対側付近で経糸に当たって緯糸のループが形成される緯入れミスであるため、織幅内センサの緯糸検出タイミングは、例えば、緯糸が正常に緯入れされているときの織幅内センサの緯糸検出タイミングとほぼ同じである。そこで、織幅内センサの緯糸検出タイミングが第２閾値よりも早い場合、発生した緯入れミスの内容をエンドループミスと判断する。これによれば、入口ループミスとは別のループミスであるエンドループミスが発生した場合に、ループミスの発生箇所をエンドループミスの発生箇所であると推定することができる。
【００１３】
上記エアジェット織機における緯入れ診断方法において、前記第２閾値は、前記緯糸が正常に緯入れされているときの所定ピック数の範囲内での前記織幅内センサの緯糸検出タイミングの平均値であるとよい。これによれば、発生した緯入れミスの内容をエンドループミスと判断し易くなる。
【発明の効果】
【００１４】
この発明によれば、入口ループミスとは別のループミスが発生した場合に、ループミスの発生箇所を推定することができる。
【図面の簡単な説明】
【００１５】
【図１】実施形態におけるエアジェット織機の緯入れ装置を示す概略図。
【図２】緯糸が正常に緯入れされている状態を示す模式図。
【図３】（ａ）はエンドミスが発生している状態を示す模式図、（ｂ）は入口ループミスが発生している状態を示す模式図、（ｃ）は中央ループミスが発生している状態を示す模式図、（ｄ）はエンドループミスが発生している状態を示す模式図。
【図４】制御装置に記録された緯入れミスに関するデータを示す図。
【図５】織幅内センサの緯糸検出タイミングにおける機台角度と中央ループミス及びエンドミスとの関係を示すグラフ。
【図６】（ａ）、（ｂ）、（ｃ）及び（ｄ）は表示装置に表示された緯入れミスの内容と緯入れミスの内容に対応した調整方法とを示す図。
【図７】緯入れ診断方法を説明するためのフローチャート。
【発明を実施するための形態】
【００１６】
以下、エアジェット織機における緯入れ診断方法を具体化した一実施形態を図１〜図７にしたがって説明する。なお、以下の説明において、緯糸を経糸開口内に緯入れして緯糸を搬送する緯入れ方向に対し、緯入れ方向とは反対側を上流、緯入れ方向側を下流とする。
【００１７】
図１に示すように、緯入れ装置１０は、緯入れノズル１１、給糸部１２、緯糸測長貯留装置１３、筬１４、複数のサブノズル１５、及び制御装置１６を備える。制御装置１６には、表示機能及び入力機能を有する表示装置１６ａが付属されている。
【００１８】
給糸部１２は、緯入れノズル１１の上流側に配設されている。給糸部１２の緯糸Ｙは、緯糸測長貯留装置１３の巻付けアーム（図示せず）の回転により引き出され、貯留ドラム１７に巻き付けられた状態で貯留される。
【００１９】
緯糸測長貯留装置１３には、緯糸係止ピン１８、及び緯糸Ｙの緯糸測長貯留装置１３からの解舒を検出するバルーンセンサ１９が設けられている。緯糸係止ピン１８及びバルーンセンサ１９は、貯留ドラム１７の周囲に配設されている。緯糸係止ピン１８は、制御装置１６と電気的に接続されている。緯糸係止ピン１８は、制御装置１６に予め設定された織機回転角度において、貯留ドラム１７に貯留された緯糸Ｙを解舒する。緯糸係止ピン１８による緯糸Ｙの解舒が行われるタイミングは、緯入れ開始タイミングである。
【００２０】
バルーンセンサ１９は、制御装置１６と電気的に接続されている。バルーンセンサ１９は、緯入れ中に貯留ドラム１７から解舒される緯糸Ｙを検出し、制御装置１６に緯糸解舒信号を発信する。制御装置１６は、予め設定された回数（本実施形態では４回）の緯糸解舒信号を受信すると、緯糸係止ピン１８を作動する。緯糸係止ピン１８は、貯留ドラム１７から解舒される緯糸Ｙを係止し、緯入れを終了させる。
【００２１】
なお、緯糸係止ピン１８が緯糸Ｙを係止するための作動タイミングは、織幅ＴＬに相当する長さの緯糸Ｙを貯留ドラム１７に貯留するために要する巻き付け回数に応じて設定されている。本実施形態では、制御装置１６は、バルーンセンサ１９の緯糸解舒信号を４回受信すると、緯糸Ｙを係止する動作信号が緯糸係止ピン１８に発信されるように設定されている。したがって、本実施形態の緯入れ装置１０では、貯留ドラム１７の４巻分の緯糸貯留長さに相当する緯糸Ｙが緯入れされる。
【００２２】
バルーンセンサ１９の緯糸検出信号は、貯留ドラム１７からの緯糸Ｙの解舒信号であり、制御装置１６において、エンコーダ２０から得られる織機回転角度信号に基づき緯糸解舒タイミングとして認識される。
【００２３】
緯入れノズル１１は、貯留ドラム１７の緯糸Ｙを引き出すタンデムノズル２１と、緯糸Ｙを筬１４の緯糸飛走経路１４ａに緯入れするメインノズル２２と、を有する。タンデムノズル２１の上流側には、緯入れ終了前に、飛走する緯糸Ｙを制動するブレーキ２３が設けられている。
【００２４】
メインノズル２２、サブノズル１５、及び筬１４は、スレイ（図示せず）上に配設され、エアジェット織機の前後方向に往復揺動される。また、タンデムノズル２１、ブレーキ２３、緯糸測長貯留装置１３、及び給糸部１２は、エアジェット織機のフレーム（図示せず）又は床面（図示せず）に取り付けられたブラケット（図示せず）等に固定されている。
【００２５】
緯糸飛走経路１４ａの下流側には、エンドセンサ２４及びダブルエンドセンサ２５が配設されている。エンドセンサ２４及びダブルエンドセンサ２５は織幅ＴＬよりも下流側に配置されている。よって、エンドセンサ２４及びダブルエンドセンサ２５は、緯糸飛走経路１４ａにおけるメインノズル２２とは反対側の織幅ＴＬの外に配置されている。ダブルエンドセンサ２５は、エンドセンサ２４よりもメインノズル２２とは反対側に配置されている。
【００２６】
図２に示すように、エンドセンサ２４は、緯糸Ｙが正常に緯入れされた状態で、貯留ドラム１７の４巻分の緯糸貯留長さに相当する緯糸Ｙの先端位置が、エンドセンサ２４の検出位置となるように、織幅ＴＬの外に配置されている。したがって、緯糸Ｙが正常に緯入れされた状態では、ダブルエンドセンサ２５は、緯糸Ｙを検出しない。図１に示すように、エンドセンサ２４及びダブルエンドセンサ２５は、制御装置１６と電気的に接続されている。また、エンドセンサ２４の緯糸検出信号は、緯糸Ｙの到達信号であり、制御装置１６において、エンコーダ２０から得られる織機回転角度信号に基づき、緯入れされた緯糸Ｙの先端がエンドセンサ２４の検出位置に到達した緯糸先端到達タイミングＴＷとして認識される。
【００２７】
エンドセンサ２４よりも上流側の織幅ＴＬ内の緯糸飛走経路１４ａには、織幅内センサ４５が配設されている。織幅内センサ４５は、緯糸飛走経路１４ａにおける織幅ＴＬの中央よりもメインノズル２２とは反対側に配置されている。織幅内センサ４５は、緯糸Ｙが正常に緯入れされた状態で、貯留ドラム１７の３巻分の緯糸貯留長さに相当する緯糸Ｙの先端位置が、織幅内センサ４５の検出位置となるように、織幅ＴＬ内に配置されている。織幅内センサ４５は、制御装置１６と電気的に接続されている。織幅内センサ４５による緯糸検出信号は、制御装置１６において、エンコーダ２０から得られる織機回転角度信号に基づき、緯入れされた緯糸Ｙの先端が織幅内センサ４５の検出位置に到達した緯糸中間到達タイミングＩＳとして認識される。つまり、緯糸中間到達タイミングＩＳは、織幅内センサ４５の緯糸検出タイミングである。
【００２８】
織幅内センサ４５は、投光用光ファイバー及び受光用光ファイバーを有する。そして、エアジェット織機の駆動時、織幅内センサ４５の投光用光ファイバーから緯糸飛走経路１４ａに向けて光が出射され、筬１４及び緯糸Ｙで反射した光が受光用光ファイバーに受光される。受光用光ファイバーで受光された光は、フィラーアンプ（図示せず）に入力される。フィラーアンプは、入力された光を受光部としてのフォトダイオードで受光して電気信号に変換し、変換された電気信号を増幅した後、制御装置１６へ出力する。
【００２９】
メインノズル２２は、配管２２ａを介してメインバルブ２２ｖに接続されている。メインバルブ２２ｖは、配管２２ｂを介してメインエアタンク２６に接続されている。タンデムノズル２１は、配管２１ａを介してタンデムバルブ２１ｖに接続されている。タンデムバルブ２１ｖは、配管２１ｂを介してメインバルブ２２ｖと共通のメインエアタンク２６に接続されている。
【００３０】
メインエアタンク２６は、メイン圧力計２７、メインレギュレータ２８、元圧力計２９、及びフィルタ３０を介して、織布工場に設置された共通のエアコンプレッサ３１に接続されている。メインエアタンク２６では、エアコンプレッサ３１から供給され、メインレギュレータ２８により設定圧力に調整された圧縮エアが貯蔵される。また、メインエアタンク２６に供給される圧縮エアの圧力は、メイン圧力計２７により常時検出されている。
【００３１】
サブノズル１５は、１例として６群に分けられ、各群は、４本のサブノズル１５により構成されている。各群に対応して６個のサブバルブ３２が配設され、各群のサブノズル１５は、それぞれ配管３３を介して各サブバルブ３２に接続されている。各サブバルブ３２は、共通のサブエアタンク３４に接続されている。
【００３２】
サブエアタンク３４は、サブ圧力計３５を介してサブレギュレータ３６に接続されている。また、サブレギュレータ３６は、配管３６ａにより、メイン圧力計２７とメインレギュレータ２８とを接続している配管２８ａに接続されている。サブエアタンク３４では、エアコンプレッサ３１から供給され、サブレギュレータ３６により設定圧力に調整された圧縮エアが貯蔵される。また、サブエアタンク３４に供給される圧縮エアの圧力は、サブ圧力計３５により常時検出されている。
【００３３】
メインバルブ２２ｖ、タンデムバルブ２１ｖ、サブバルブ３２、元圧力計２９、メイン圧力計２７、サブ圧力計３５、及びブレーキ２３は、制御装置１６と電気的に接続されている。制御装置１６には、メインバルブ２２ｖ、タンデムバルブ２１ｖ、サブバルブ３２、及びブレーキ２３を作動するための作動タイミングや作動期間が予め設定されている。また、制御装置１６は、元圧力計２９、メイン圧力計２７、及びサブ圧力計３５の検出信号を受信する。
【００３４】
メインバルブ２２ｖ及びタンデムバルブ２１ｖには、緯糸係止ピン１８が作動する緯入れ開始タイミングよりも早いタイミングで制御装置１６から作動指令信号が出力され、メインノズル２２及びタンデムノズル２１から圧縮エアが噴射される。ブレーキ２３には、緯糸係止ピン１８が作動して貯留ドラム１７の緯糸Ｙを係止する緯糸先端到達タイミングＴＷよりも早い時期に制御装置１６から作動指令信号が出力される。ブレーキ２３は、高速で飛走する緯糸Ｙを制動して緯糸Ｙの飛走速度を低下させ、緯糸先端到達タイミングＴＷにおける緯糸Ｙの衝撃を緩和する。
【００３５】
制御装置１６には、各種の織物条件及び製織条件が登録され、記憶されている。織物条件としては、例えば、緯糸Ｙに使用する糸の材質、番手、等の緯糸種類、緯糸密度、経糸に使用する糸の材質、番手等の経糸種類、経糸密度、織幅、織物組織等が含まれている。製織条件としては、例えば、織機の回転数、メインエアタンク２６及びサブエアタンク３４の圧縮エアの圧力、メインバルブ２２ｖ及びタンデムバルブ２１ｖの開度、緯入れ開始タイミング、目標緯糸先端到達タイミング等が含まれる。
【００３６】
図３（ａ）に示すように、エアジェット織機では、サブノズル１５の噴射圧や噴射タイミングの状態変化によって緯糸Ｙの飛走状態が悪くなると、緯糸Ｙが緩んで緯糸Ｙの先端がエンドセンサ２４の検出位置に到達しない緯入れミスであるエンドミスが発生する場合がある。
【００３７】
また、エアジェット織機では、図３（ｂ）に示すような緯入れミスである入口ループミスが発生する場合がある。入口ループミスとは、サブノズル１５の噴射圧や噴射タイミングが適正な噴射圧であっても、経糸の状態変化によって経糸の張力が緩んで経糸の経糸開口状態が悪い場合に、メインノズル２２から噴射された緯糸Ｙが経糸開口の入口で経糸に当たって、経糸開口の入口を過ぎた入口付近で緯糸Ｙのループが形成される緯入れミスのことである。入口ループミスが発生した場合、緯糸Ｙは織幅ＴＬの中央付近にしか到達できないため、緯糸飛走経路１４ａにおける織幅ＴＬの中央よりもメインノズル２２とは反対側の織幅ＴＬ内に配置される織幅内センサ４５が緯糸Ｙを検出することはない。したがって、エンドセンサ２４が緯糸Ｙを検出することもない。
【００３８】
また、エアジェット織機では、入口ループミスとは別のループミスが発生する場合がある。入口ループミスとは別のループミスとしては、例えば、図３（ｃ）に示す緯入れミスである中央ループミスや、図３（ｄ）に示す緯入れミスであるエンドループミスがある。中央ループミスは、緯糸飛走経路１４ａにおける織幅ＴＬの中央付近で経糸に当たって緯糸Ｙのループが形成される緯入れミスである。エンドループミスは、緯糸飛走経路１４ａにおける織幅ＴＬの中央よりもメインノズル２２とは反対側付近で経糸に当たって緯糸Ｙのループが形成される緯入れミスである。
【００３９】
中央ループミスやエンドループミスのような入口ループミスとは別のループミスが発生した場合、エンドセンサ２４が緯糸Ｙを検出しないのは入口ループミスと同じであるが、緯糸Ｙの先端が織幅内センサ４５の検出位置に到達した後にループが形成されることがほとんどであるので、織幅内センサ４５は緯糸Ｙを検出する。
【００４０】
図４には、入口ループミス、中央ループミス、エンドループミス、及びエンドミスが発生したときのエンドセンサ２４のパルス数、緯糸先端到達タイミングＴＷにおける機台角度、緯糸中間到達タイミングＩＳにおける機台角度、及びバルーンセンサにおける解舒検出数等のデータを示している。これらのデータは、制御装置１６に記録されている。制御装置１６によって記録されたデータは、表示装置１６ａに一覧表示可能になっている。
【００４１】
図４に示すように、入口ループミスが発生している場合、バルーンセンサ１９の解舒検出数が、緯糸Ｙが正常に緯入れされたときの解舒検出数である「４」になっているにもかかわらず、エンドセンサ２４及び織幅内センサ４５が緯糸Ｙを検出していない。
【００４２】
中央ループミスが発生している場合、バルーンセンサ１９の解舒検出数が、緯糸Ｙが正常に緯入れされたときの解舒検出数である「４」になっているにもかかわらず、エンドセンサ２４が緯糸Ｙを検出していない。また、中央ループミスが発生している場合、織幅内センサ４５は緯糸Ｙを検出する。このとき、中央ループミスは、緯糸飛走経路１４ａにおける織幅ＴＬの中央付近で経糸に当たって緯糸Ｙのループが形成される緯入れミスであるため、織幅内センサ４５の緯糸検出タイミングは、例えば、緯糸Ｙが正常に緯入れされているときの織幅内センサ４５の緯糸検出タイミングに比べると、大きく遅れている。
【００４３】
エンドループミスが発生している場合、バルーンセンサ１９の解舒検出数が、緯糸Ｙが正常に緯入れされたときの解舒検出数である「４」になっているにもかかわらず、エンドセンサ２４が緯糸Ｙを検出していない。また、エンドループミスが発生している場合、織幅内センサ４５は緯糸Ｙを検出する。このとき、エンドループミスは、緯糸飛走経路１４ａにおける織幅ＴＬの中央よりもメインノズル２２とは反対側付近で経糸に当たって緯糸Ｙのループが形成される緯入れミスであるため、織幅内センサ４５の緯糸検出タイミングは、例えば、緯糸Ｙが正常に緯入れされているときの織幅内センサ４５の緯糸検出タイミングとほぼ同じである。
【００４４】
エンドミスが発生している場合、バルーンセンサ１９の解舒検出数が、緯糸Ｙが正常に緯入れされたときの解舒検出数である「４」になっているにもかかわらず、エンドセンサ２４のパルス数が「０」であったり、緯糸Ｙが正常に緯入れされたときのエンドセンサ２４のパルス数（例えば「１５」）に満たない数値であったりする。また、エンドミスは、緯糸Ｙの緩みは先端にのみ生じることがほとんどであるので、織幅内センサ４５は緯糸Ｙを検出する。このとき、エンドミスは、緯糸Ｙの先端に緩みが生じている状態で緯糸Ｙの先端が織幅内センサ４５の検出位置に到達するため、織幅内センサ４５の緯糸検出タイミングは、例えば、緯糸Ｙが正常に緯入れされているときの織幅内センサ４５の緯糸検出タイミングに比べると、若干遅れている。
【００４５】
図５では、織幅内センサ４５の緯糸検出タイミングにおける機台角度と中央ループミス及びエンドミスとの関係を示している。図５に示すように、制御装置１６では、緯糸Ｙが正常に緯入れされているときの所定ピック数（例えば３０ピック毎）の範囲内で、織幅内センサ４５の緯糸検出タイミングにおける機台角度の最小値ＩＳｍｉｎ及び最大値ＩＳｍａｘが求められている。そして、制御装置１６は、最大値ＩＳｍａｘから所定値（例えば１０度）だけ加算した値を第１閾値ＩＳｘ１として記憶する。
【００４６】
制御装置１６は、バルーンセンサ１９における解舒検出数が正常で、且つ織幅内センサ４５が緯糸Ｙを検出するとともにエンドセンサ２４が緯糸Ｙを検出しなかった場合に、織幅内センサ４５の緯糸検出タイミングにおける機台角度と第１閾値ＩＳｘ１とを比較する。そして、織幅内センサ４５の緯糸検出タイミングにおける機台角度が第１閾値ＩＳｘ１よりも遅れている場合、制御装置１６は、発生した緯入れミスの内容を中央ループミスと判断する。よって、第１閾値ＩＳｘ１は、発生した緯入れミスの内容を、入口ループミスとは別のループミスである中央ループミスと判断するために用いられる。そして、制御装置１６が、発生した緯入れミスの内容を中央ループミスと判断することにより、入口ループミスとは別のループミスである中央ループミスが発生した場合に、ループミスの発生箇所を中央ループミスの発生箇所であると推定することが可能となる。
【００４７】
また、制御装置１６は、緯糸Ｙが正常に緯入れされているときの所定ピック数の範囲内での織幅内センサ４５の緯糸検出タイミングにおける機台角度の平均値を算出し、その平均値を第２閾値ＩＳｘ２として記憶する。
【００４８】
制御装置１６は、バルーンセンサ１９における解舒検出数が正常で、且つ織幅内センサ４５が緯糸Ｙを検出するとともにエンドセンサ２４が緯糸Ｙを検出しなかった場合に、織幅内センサ４５の緯糸検出タイミングにおける機台角度と第２閾値ＩＳｘ２とを比較する。そして、織幅内センサ４５の緯糸検出タイミングにおける機台角度が第２閾値ＩＳｘ２よりも早い場合、制御装置１６は、発生した緯入れミスの内容をエンドループミスと判断する。よって、第２閾値ＩＳｘ２は、発生した緯入れミスの内容を、入口ループミスとは別のループミスであるエンドループミスと判断するために用いられる。そして、制御装置１６が、発生した緯入れミスの内容をエンドループミスと判断することにより、入口ループミスとは別のループミスであるエンドループミスが発生した場合に、ループミスの発生箇所をエンドループミスの発生箇所であると推定することが可能となる。
【００４９】
このように、制御装置１６は、バルーンセンサ１９における解舒検出数が正常で、且つ織幅内センサ４５が緯糸Ｙを検出するとともにエンドセンサ２４が緯糸Ｙを検出しなかった場合に、織幅内センサ４５の緯糸検出タイミングと、予め設定された織幅内センサ４５の緯糸検出タイミングの閾値との比較に基づいて、発生した緯入れミスであるループミスの発生箇所を推定する。本実施形態では、閾値として、第１閾値ＩＳｘ１及び第２閾値ＩＳｘ２を含む。
【００５０】
制御装置１６は、織幅内センサ４５の緯糸検出タイミングにおける機台角度が、第１閾値ＩＳｘ１よりも早く、且つ第２閾値ＩＳｘ２よりも遅い場合、発生した緯入れミスの内容をエンドミスもしくはエンドループミスと判断する。このとき、実際に発生している緯入れミスの内容は、エンドループミスよりもエンドミスの方が割合的に大きい。これは、エンドループミスの場合、織幅内センサ４５の緯糸検出タイミングが、緯糸Ｙが正常に緯入れされているときの織幅内センサ４５の緯糸検出タイミングとほぼ同じであるが、エンドミスの場合は、織幅内センサ４５の緯糸検出タイミングが、緯糸Ｙが正常に緯入れされているときの織幅内センサ４５の緯糸検出タイミングに比べて若干遅れるためである。
【００５１】
図６（ａ）に示すように、制御装置１６は、発生した緯入れミスの内容がエンドミスであると判断すると、表示装置１６ａに緯入れミスの内容が表示されるように表示装置１６ａを制御する。表示装置１６ａは、緯入れミスの内容として、「サブノズルの噴射圧、サブノズルの噴射タイミングの状態変化もしくは緯糸の飛走状態変化によるエンドミスが発生しています。」と表示する。また、表示装置１６ａは、エンドミスに対応した調整方法を表示する。例えば、表示装置１６ａは、エンドミスが発生した場合、「サブノズルの噴射圧の調整を推奨します。」と表示する。
【００５２】
図６（ｂ）に示すように、制御装置１６は、発生した緯入れミスの内容が入口ループミスであると判断すると、表示装置１６ａに緯入れミスの内容が表示されるように表示装置１６ａを制御する。表示装置１６ａは、緯入れミスの内容として、「経糸の状態変化による入口ループミスが発生しています。」と表示する。また、表示装置１６ａは、入口ループミスに対応した調整方法を表示する。例えば、表示装置１６ａは、入口ループミスが発生した場合、「経糸の張力の確認、経糸開口状態の確認、緯入れを開始するタイミングの調整を推奨します。」と表示する。
【００５３】
図６（ｃ）に示すように、制御装置１６は、発生した緯入れミスの内容が中央ループミスであると判断すると、表示装置１６ａに緯入れミスの内容が表示されるように表示装置１６ａを制御する。表示装置１６ａは、緯入れミスの内容として、「経糸の状態変化、もしくは何らかのトラブルによって中央ループミスが発生しています。」と表示する。また、表示装置１６ａは、中央ループミスに対応した調整方法を表示する。例えば、表示装置１６ａは、中央ループミスが発生した場合、「経糸の張力の確認、経糸開口状態の確認、緯糸飛走経路における織幅の中央付近のサブノズルのチューブの抜けの確認を推奨します。」と表示する。
【００５４】
図６（ｄ）に示すように、制御装置１６は、発生した緯入れミスの内容がエンドループミスであると判断すると、表示装置１６ａに緯入れミスの内容が表示されるように表示装置１６ａを制御する。表示装置１６ａは、緯入れミスの内容として、「経糸の状態変化、もしくは何らかのトラブルによってエンドループミスが発生しています。」と表示する。また、表示装置１６ａは、エンドループミスに対応した調整方法を表示する。例えば、表示装置１６ａは、エンドループミスが発生した場合、「経糸の張力の確認、経糸開口状態の確認、緯糸飛走経路における織幅の中央よりもメインノズルとは反対側付近のサブノズルのチューブの抜けの確認を推奨します。」と表示する。
【００５５】
次に、緯入れ診断装置の緯入れ診断方法の説明と併せて、本実施形態の作用を説明する。
図７に示すように、制御装置１６は、まず、ステップＳ１０においてバルーンセンサ１９の解舒検出数が正常であるか否かを判定する。制御装置１６は、ステップＳ１０においてバルーンセンサ１９の解舒検出数が正常ではないと判定すると、ステップＳ１１に移行し、発生した緯入れミスの内容を、ショートピックもしくはロングピックと判断する。ショートピックは、貯留ドラム１７の３巻分の緯糸貯留長さに相当する緯糸Ｙが緯入れされた状態で緯入れが終了した緯入れミスや、貯留ドラム１７の２巻分の緯糸貯留長さに相当する緯糸Ｙが緯入れされた状態で緯入れが終了した緯入れミスのことである。ロングピックは、貯留ドラム１７の５巻分の緯糸貯留長さに相当する緯糸Ｙが緯入れされた状態で緯入れが終了した緯入れミスのことである。
【００５６】
一方、制御装置１６は、ステップＳ１０においてバルーンセンサ１９の解舒検出数が正常であると判定すると、ステップＳ１２に移行する。制御装置１６は、ステップＳ１２において織幅内センサ４５が緯糸Ｙを検出したか否かを判定する。制御装置１６は、ステップＳ１２において織幅内センサ４５が緯糸Ｙを検出していないと判定すると、ステップＳ１３に移行し、発生した緯入れミスの内容を、入口ループミスと判断する。一方、制御装置１６は、ステップＳ１２において織幅内センサ４５が緯糸Ｙを検出していると判定すると、ステップＳ１４に移行する。
【００５７】
制御装置１６は、ステップＳ１４において織幅内センサ４５の緯糸検出タイミングにおける機台角度と第１閾値ＩＳｘ１とを比較し、織幅内センサ４５の緯糸検出タイミングにおける機台角度が第１閾値ＩＳｘ１よりも遅れているか否かを判定する。制御装置１６は、ステップＳ１４において織幅内センサ４５の緯糸検出タイミングにおける機台角度が第１閾値ＩＳｘ１よりも遅れていると判定すると、ステップＳ１５に移行し、発生した緯入れミスの内容を、中央ループミスと判断する。一方、制御装置１６は、ステップＳ１４において織幅内センサ４５の緯糸検出タイミングにおける機台角度が第１閾値ＩＳｘ１よりも遅れていないと判定すると、ステップＳ１６に移行する。
【００５８】
制御装置１６は、ステップＳ１６において織幅内センサ４５の緯糸検出タイミングにおける機台角度が第２閾値ＩＳｘ２よりも早いか否かを判定する。制御装置１６は、ステップＳ１６において織幅内センサ４５の緯糸検出タイミングにおける機台角度が第２閾値ＩＳｘ２よりも早いと判定すると、ステップＳ１７に移行し、発生した緯入れミスの内容を、エンドループミスと判断する。一方、制御装置１６は、ステップＳ１６において織幅内センサ４５の緯糸検出タイミングにおける機台角度が第２閾値ＩＳｘ２よりも早くないと判定すると、ステップＳ１８に移行し、発生した緯入れミスの内容を、エンドミスもしくはエンドループミスと判断する。緯入れ診断装置は、このような緯入れ診断方法によって、発生した緯入れミスの内容を判断する。
【００５９】
上記実施形態では以下の効果を得ることができる。
（１）制御装置１６は、バルーンセンサ１９における解舒検出数が正常で、且つ織幅内センサ４５が緯糸Ｙを検出するとともにエンドセンサ２４が緯糸Ｙを検出しなかった場合に、織幅内センサ４５の緯糸検出タイミングと、予め設定された織幅内センサ４５の緯糸検出タイミングの閾値との比較に基づいて、発生した緯入れミスであるループミスの発生箇所を推定する。入口ループミスとは別のループミスが発生した場合、エンドセンサ２４が緯糸Ｙを検出しないのは入口ループミスと同じであるが、緯糸Ｙの先端が織幅内センサ４５の検出位置に到達した後にループが形成されることがほとんどであるので、織幅内センサ４５は緯糸Ｙを検出する。そして、制御装置１６は、織幅内センサ４５の緯糸検出タイミングと、予め設定された織幅内センサ４５の緯糸検出タイミングの閾値との比較に基づいて、発生した緯入れミスであるループミスの発生箇所を推定する。これによれば、入口ループミスとは別のループミスが発生した場合に、ループミスの発生箇所を推定することができる。
【００６０】
（２）中央ループミスは、緯糸飛走経路１４ａにおける織幅ＴＬの中央付近で経糸に当たって緯糸Ｙのループが形成される緯入れミスであるため、織幅内センサ４５の緯糸検出タイミングは、例えば、緯糸Ｙが正常に緯入れされているときの織幅内センサ４５の緯糸検出タイミングに比べると、大きく遅れることになる。そこで、制御装置１６は、織幅内センサ４５の緯糸検出タイミングが第１閾値ＩＳｘ１よりも遅れている場合、発生した緯入れミスの内容を中央ループミスと判断する。これによれば、入口ループミスとは別のループミスである中央ループミスが発生した場合に、ループミスの発生箇所を中央ループミスの発生箇所であると推定することができる。
【００６１】
（３）第１閾値ＩＳｘ１は、緯糸Ｙが正常に緯入れされているときの所定ピック数の範囲内で、織幅内センサ４５の緯糸検出タイミングの最大値ＩＳｍａｘから所定値だけ加算した値である。これによれば、発生した緯入れミスの内容を中央ループミスと正確に判断することができる。
【００６２】
（４）エンドループミスは、緯糸飛走経路１４ａにおける織幅ＴＬの中央よりもメインノズル２２とは反対側付近で経糸に当たって緯糸Ｙのループが形成される緯入れミスであるため、織幅内センサ４５の緯糸検出タイミングは、例えば、緯糸Ｙが正常に緯入れされているときの織幅内センサ４５の緯糸検出タイミングとほぼ同じである。そこで、制御装置１６は、織幅内センサ４５の緯糸検出タイミングが第２閾値ＩＳｘ２よりも早い場合、発生した緯入れミスの内容をエンドループミスと判断する。これによれば、入口ループミスとは別のループミスであるエンドループミスが発生した場合に、ループミスの発生箇所をエンドループミスの発生箇所であると推定することができる。
【００６３】
（５）第２閾値ＩＳｘ２は、緯糸Ｙが正常に緯入れされているときの所定ピック数の範囲内での織幅内センサ４５の緯糸検出タイミングの平均値である。これによれば、発生した緯入れミスの内容をエンドループミスと判断し易くなる。
【００６４】
（６）表示装置１６ａは、緯入れミスの内容に対応した調整方法を表示する。これによれば、作業者が、表示装置１６ａに表示された調整方法を見ることで、調整をスムーズに行うことができる。
【００６５】
（７）表示装置１６ａは、制御装置１６によって記録された緯入れミスに関するデータを一覧表示する。これによれば、作業者が、表示装置１６ａに一覧表示された表示内容を確認することにより、どのような緯入れミスが発生しているかを容易に確認することができる。
【００６６】
なお、上記実施形態は以下のように変更してもよい。
○  実施形態において、第１閾値ＩＳｘ１を、例えば、織幅内センサ４５の緯糸検出タイミングの標準偏差ＩＳσの何倍かで設定してもよい。例えば、標準偏差ＩＳσが「３」とすると、「６σ＝１８度」となり、緯糸Ｙが正常に緯入れされているときの所定ピック数の範囲内での織幅内センサ４５の緯糸検出タイミングにおける機台角度の平均値が、例えば１８８度であった場合に、１８８度に１８度を加算した「２０６度」を第１閾値ＩＳｘ１と設定してもよい。
【００６７】
○  実施形態において、制御装置１６が、ステップＳ１８において、発生した緯入れミスの内容をエンドミスもしくはエンドループミスと判断した場合に、表示装置１６ａが、例えば、「エンドミスの発生確率７０％」、「エンドループミスの発生確率３０％」のように確率表示を行うようにしてもよい。
【００６８】
○  実施形態において、制御装置１６は、緯糸Ｙが正常に緯入れされているときの所定ピック数（例えば３０ピック）の範囲内で移動平均算出を行い、織幅内センサ４５の緯糸検出タイミングにおける機台角度の最小値ＩＳｍｉｎ及び最大値ＩＳｍａｘを求めるようにしてもよい。
【００６９】
○  実施形態において、制御装置１６は、緯糸Ｙが正常に緯入れされているときの所定ピック数の範囲内で移動平均算出を行い、織幅内センサ４５の緯糸検出タイミングにおける機台角度の平均値を算出するようにしてもよい。
【００７０】
○  実施形態において、制御装置１６には、第２閾値ＩＳｘ２が記憶されておらず、第１閾値ＩＳｘ１のみが記憶されていてもよい。したがって、制御装置１６は、発生した緯入れミスの内容を、第２閾値ＩＳｘ２を用いて、入口ループミスとは別のループミスであるエンドループミスと判断する構成を有していなくてもよい。
【００７１】
○  実施形態において、制御装置１６には、第１閾値ＩＳｘ１が記憶されておらず、第２閾値ＩＳｘ２のみが記憶されていてもよい。したがって、制御装置１６は、発生した緯入れミスの内容を、第１閾値ＩＳｘ１を用いて、入口ループミスとは別のループミスである中央ループミスと判断する構成を有していなくてもよい。
【００７２】
○  実施形態において、時間当たりの緯入れミスの発生回数が、予め定められた回数を超えた場合に、作業者に警告を出すようにしてもよい。この場合、例えば、表示装置１６ａに警告を表示するようにしてもよいし、警告表示用のランプを点灯させるようにしてもよい。
【００７３】
○  実施形態において、制御装置１６は、緯入れミスの内容を、例えば、記号や色によって表示する表示部を有していてもよい。また、制御装置１６は、緯入れミスの内容を、音声によって作業者に報知することにより表示する表示部を有していてもよい。
【００７４】
○  実施形態において、表示装置１６ａは、制御装置１６によって記録された緯入れミスに関するデータを一覧表示する機能を有していない構成であってもよい。
○  実施形態において、表示装置１６ａは、制御装置１６によって記録された緯入れミスに関するデータを一覧表示する機能を有していなくてもよく、当該一覧表示の機能を有する装置を表示装置１６ａとは別に設けてもよい。
【００７５】
○  実施形態において、表示装置１６ａは、緯入れミスの内容に対応した調整方法を表示する機能を有していなくてもよく、当該調整方法を表示する機能を有する装置を表示装置１６ａとは別に設けてもよい。
【００７６】
○  実施形態において、制御装置１６は、緯入れミスに関するデータを記録する機能を有していない構成であってもよい。
【符号の説明】
【００７７】
ＴＬ…織幅、Ｙ…緯糸、１３…緯糸測長貯留装置、１４ａ…緯糸飛走経路、１５…サブノズル、１９…バルーンセンサ、２２…メインノズル、２４…エンドセンサ、４５…織幅内センサ。
【図１】
2019105005.tif 000003
【図２】
2019105005.tif 000004
【図３】
2019105005.tif 000005
【図４】
2019105005.tif 000006
【図５】
2019105005.tif 000007
【図６】
2019105005.tif 000008
【図７】
2019105005.tif 000009